(57)【要約】【課題】本考案は、蓋体による確実な密封と、包装容器に対する直接的な印刷が可能となされた新規な包装容器、及び前記包装容器を用いた湿潤シート包装構造を提供することを目的とする。【解決手段】  包装容器１として、紙製の第一容器２内にプラスチック製の第二容器３が収容されたものを用い、前記第一容器２に備えられた第一蓋体２２を開閉可能とする第一ヒンジ部２３と、前記第二容器３に備えられた第二蓋体３２を開閉可能とする第二ヒンジ部３３と、を長さ方向に沿って隣接させた状態で、前記第一蓋体２２の内面と、前記第二蓋体３２の外面とを接合する。【選択図】図１
0003209888.tif 000002
【実用新案登録請求の範囲】
【請求項１】
複数枚の湿潤シートを包装するための包装容器であって、
紙製の第一容器と、
前記第一容器内に収容されたプラスチック製の第二容器と、
を具備してなり、
前記第一容器が第一ヒンジ部を介して開閉可能となされた第一蓋体を備えてなり、
前記第二容器が第二ヒンジ部を介して開閉可能となされた第二蓋体を備えてなり、
前記第一ヒンジ部と前記第二ヒンジ部とが長さ方向に沿って隣接された状態で、前記第一蓋体の内面と前記第二蓋体の外面とが接合されてなることを特徴とする包装容器。
【請求項２】
請求項１に記載の包装容器において、
前記第二容器の側壁に、内方向に向かって張り出すリブが設けられてなる収納容器。
【請求項３】
請求項１又は２に記載の包装容器を用いた湿潤シート包装構造であって、
前記第二容器内に複数枚の湿潤シートが収納されてなることを特徴とする湿潤シート包装構造。
【考案の詳細な説明】
【技術分野】
【０００１】
本考案は、複数枚の湿潤シートを包装するための包装容器、及び前記包装容器を用いた湿潤シート包装構造に関する。
【背景技術】
【０００２】
化粧シートやフェイスマスクなどのシート基材に、化粧水などの薬液を含侵させた湿潤シートは、一枚ごとに個装される場合もあるが、多くは、複数枚まとめて被通気性の包装容器に封入された状態で流通や保存に供され、使用時に開封される使用形態となされている。
【０００３】
この種の湿潤シートを包装するための包装容器としては、ピロー型の袋材やプラスチックケースの上面に開口部を設け、シール式のシートを蓋体として開閉可能としたものが一般的である（例えば、下記特許文献１、２参照。）。
【先行技術文献】
【特許文献】
【０００４】
【特許文献１】特開平７−２９１３７０号公報
【特許文献２】特開２００９‐７８８２８号公報
【考案の概要】
【考案が解決しようとする課題】
【０００５】
しかしながら、ピロー型の袋材を容器本体とする包装容器は、開口部周辺に皺が寄りやすく、シール式の蓋体による確実な密封が困難であった。
【０００６】
この点につき、プラスチックケースを容器本体とする包装容器は剛性が高いため、シール式の蓋体による確実な密封が可能である。但し、プラスチック製の容器本体に対する直接的な印刷が困難であることから、商品名や商品説明、或いは使用方法などの各種商品情報については、容器本体に対するシュリンクフィルムなどの被覆によって行われていた。
【０００７】
本考案は前記技術的課題に鑑みて開発されたものであり、蓋体による確実な密封と、包装容器に対する直接的な印刷が可能となされた新規な包装容器、及び前記包装容器を用いた湿潤シート包装構造を提供することを目的とする。
【課題を解決するための手段】
【０００８】
前記技術的課題を解決する本考案の収納容器は、複数枚の湿潤シートを包装するための包装容器であって、紙製の第一容器と、前記第一容器内に収容されたプラスチック製の第二容器と、を具備してなり、前記第一容器が第一ヒンジ部を介して開閉可能となされた第一蓋体を備えてなり、前記第二容器が第二ヒンジ部を介して開閉可能となされた第二蓋体を備えてなり、前記第一ヒンジ部と前記第二ヒンジ部とが長さ方向に沿って隣接された状態で、前記第一蓋体の内面と前記第二蓋体の外面とが接合されてなることを特徴とする（以下、「本考案容器」と称する。）。
【０００９】
本考案容器においては、前記第二容器の側壁に、内方向に向かって張り出すリブが設けられてなるものが好ましい態様となる。
【００１０】
前記技術的課題を解決する本考案の湿潤シート包装構造は、本考案容器を用いた湿潤シート包装構造であって、前記第二容器内に複数枚の湿潤シートが収納されてなることを特徴とする（以下、「本考案包装構造」と称する。）。
【考案の効果】
【００１１】
本考案によれば、蓋体による確実な密封と、包装容器に対する直接的な印刷が可能となる。
【図面の簡単な説明】
【００１２】
【図１】図１は、本考案容器を示す分解斜視図である。
【図２】図２（ａ）は、第一容器を構築するための紙シートを示す斜視図であり、図２（ｂ）、（ｃ）は、前記紙シートを組み立てて前記第一容器を構築する様子を示す斜視図である。
【図３】図３は、第二容器を示す斜視図である。
【図４】図４は、本考案容器を示す斜視図（ａ）と断面図（ｂ）である。
【図５】図５は、本考案構造を示す斜視図である。
【図６】図６（ａ）、（ｂ）は、前記本考案構造の構築工程を示す斜視図である。
【考案を実施するための形態】
【００１３】
以下、本考案の実施形態を説明するが、本考案はこれらの実施形態に限定されるものではない。
【００１４】
＜本考案容器１＞
図１に、実施形態に係る本考案容器１を分解状態にて示す。本考案容器１は、第一容器２と、第二容器３と、を具備する。
【００１５】
‐第一容器２‐
前記第一容器２は、紙製である。図２に示すように、本実施形態における前記第一容器２は、一枚の紙シート２０を組み立てることによって第一容器本体２１及び第一蓋体２２が一体的に構築されたものである。又、前記第一蓋体２２は、前記第一容器本体２１と前記第一蓋体２２とを連結する第一ヒンジ部２３を介して開閉可能となされている。
【００１６】
‐第二容器３‐
一方、前記第二容器３は、プラスチック製である。図３に示すように、本実施形態における前記第二容器３は第二容器本体３１及び第二蓋体３２が一体的に成形（真空成型）されたものである。又、前記第二蓋体３２は、前記第二容器本体３１と前記第二蓋体３２とを連結する第二ヒンジ部３３を介して開閉可能となされている。本実施形態においては、前記第二蓋体３２が閉じられた際、前記第二蓋体３２の内面の周縁に沿って設けられた凸部３２１が、前記第二容器本体３１の開口部に設けられた段落ち部３１１に嵌合することによって、前記第二容器３の密封性が確保される仕組みとなされている。又、本実施形態においては、前記第二容器（前記第二容器本体３１）３の各側壁に、内方向に向かって張り出すリブ３１２が設けられている。
【００１７】
図４に示すように、本考案容器１は、前記第一容器２内に前記第二容器３が収容された構成となされている。この際、前記第一ヒンジ部２３と前記第二ヒンジ部３３とが長さ方向に沿って隣接された状態となされたうえで、前記第一蓋体２２の内面と前記第二蓋体３２の外面とが接着剤や粘着剤などで接合されることによって、前記第一容器２と前記第二容器３とが一体化される。即ち、本考案容器１は、前記第一蓋体２２の開閉に応じて、前記第二蓋体３２が開閉する仕組みとなされている。
【００１８】
前記構成を有する本考案容器１は、図５に示すように、複数枚の湿潤シートＳを包装するための包装容器として用いられ、もって、本考案包装構造１０を構築する。
【００１９】
＜本考案包装構造１０＞
前記本考案包装構造１０は、前記本考案容器１の前記第二容器３内に複数枚の湿潤シートＳが収納されてなることを特徴とする。
【００２０】
本実施形態において、前記本考案容器１を用いて前記本考案包装構造１０を構築するにあたっては、図６に示すように、まず、前記第二容器３内に複数枚の乾燥状態のシートＳ０を収納し（図６（ａ）参照）、前記シートＳ０が収納された第二容器３内に、化粧水などの薬液Ｌを充填する（図６（ｂ）参照）。この際、本実施形態においては、前記第二容器３の各側壁に、内方向に向かって張り出すリブ３１２が設けられているから、前記第二容器３内に投入された前記薬液Ｌが、前記リブ３１２間の空間を通じて前記第二容器３の底に速やかに向かうため、前記薬液Ｌの投入作業が迅速となる。
【００２１】
その後、前記第一蓋体２２を閉じることによって前記第二蓋体３２を閉じれば、前記シートＳ０に薬液Ｌが含侵された湿潤シートＳが前記第二容器３内に包装された本考案包装構造１０が構築される。
【００２２】
このようにして構築される本考案包装構造１０は、前記本考案容器１が、前記第一蓋体２２を開閉に応じて、前記第二蓋体３２が開閉する仕組みとなされているため、開閉作業が容易に行える。
【００２３】
又、前記湿潤シートＳが収納される前記第二容器３がプラスチック製であるため、前記第二蓋体３２を閉じれば、前記第二容器３が確実に密封される。
【００２４】
更に、外箱となる前記第一容器２が紙製であるため、前記第一容器２の周囲に対し、直接的に印刷を施すことができる。
【００２５】
なお、本考案は、その精神又は主要な特徴から逸脱することなく、他のいろいろな形態で実施することができる。そのため、上述の実施例はあらゆる点で単なる例示に過ぎず、限定的に解釈してはならない。本考案の範囲は登録実用新案請求の範囲によって示すものであって、明細書本文には何ら拘束されない。更に、登録実用新案請求の範囲の均等範囲に属する変形や変更は、すべて本考案の範囲内のものである。
【産業上の利用可能性】
【００２６】
本考案は、湿潤シートを収納するための包装容器として好適に用いられる。
【符号の説明】
【００２７】
１  本考案容器（包装容器）
２  第一容器
２０  紙シート
２１  第一容器本体
２２  第一蓋体
２３  第一ヒンジ部
３  第二容器
３１  第二容器本体
３１２  リブ
３２  第二蓋体
３３  第二ヒンジ部
１０  本考案包装構造（湿潤シート包装構造）
Ｓ  湿潤シート
【図１】
0003209888.tif 000003
【図２】
0003209888.tif 000004
【図３】
0003209888.tif 000005
【図４】
0003209888.tif 000006
【図５】
0003209888.tif 000007
【図６】
0003209888.tif 000008